(57)【特許請求の範囲】
【請求項１】
流路本体と、前記流路本体に設けられた一対の通水口と、を有し、前記一対の通水口の一方から供給された水を前記流路本体に流し、前記一対の通水口の他方から排出する流路と、
前記流路本体を流れる水に紫外線照射窓を介して紫外線を照射する発光部と、
を備え、
前記紫外線照射窓は、前記流路本体を流れる水に接する表面を有し、
前記流路は、水の供給が無い状態において前記一対の通水口の間の空気の流れを可能にしつつ前記紫外線照射窓の前記表面と接するように水を溜める貯水部を有することを特徴とする紫外線照射装置。
【請求項２】
前記流路本体は、水平方向に延びる第１部分と、前記第１部分から下方に延びる第２部分と、前記第２部分の下端に設けられた開口と、を有し、前記第２部分を前記貯水部とし、
前記紫外線照射窓は、前記第２部分の下端に設けられ、前記開口を塞ぎ、
前記発光部は、前記紫外線照射窓と対向して設けられることを特徴とする請求項１記載の紫外線照射装置。
【請求項３】
前記第２部分は、前記第１部分の一端に設けられ、前記第１部分から下方に延びるとともに上方に延び、
前記流路本体は、前記第１部分と前記第２部分との接続部分において水の流れる向きを変えることを特徴とする請求項２記載の紫外線照射装置。
【請求項４】
前記流路本体は、前記第２部分から水平方向に延びる第３部分をさらに有し、
前記第３部分は、前記第１部分よりも上方に配置され、
前記流路本体は、前記第１部分と前記第２部分との接続部分において水の流れる向きを変えるとともに、前記第２部分と前記第３部分との接続部分において水の流れる向きをさらに変えることを特徴とする請求項３記載の紫外線照射装置。
【請求項５】
水を吐出する吐水口を有する吐水部と、
給水源から前記吐水部に至る管路を有し、前記給水源から供給された水を前記吐水部に導く導水部と、
前記管路を開閉する電磁弁と、
前記導水部の経路上において前記吐水口よりも上流側に設けられた紫外線照射装置であって、
流路本体と、前記流路本体に設けられた一対の通水口と、を有し、前記一対の通水口の一方から供給された水を前記流路本体に流し、前記一対の通水口の他方から排出する流路と、
前記流路本体を流れる水に紫外線照射窓を介して紫外線を照射する発光部と、
を有し、
前記紫外線照射窓は、前記流路本体を流れる水に接する表面を有し、
前記流路は、水の供給が無い状態において前記一対の通水口の間の空気の流れを可能にしつつ前記紫外線照射窓の前記表面と接するように水を溜める貯水部を有する
紫外線照射装置と、
前記電磁弁及び前記紫外線照射装置の動作を制御する制御部と、
を備えたことを特徴とする吐水装置。
【請求項６】
前記流路本体は、水平方向に延びる第１部分と、前記第１部分の一端に設けられ前記第１部分から下方に延びるとともに上方に延びる第２部分と、前記第２部分の下端に設けられた開口と、を有し、前記第２部分を前記貯水部とし、
前記紫外線照射窓は、前記第２部分の下端に設けられ、前記開口を塞ぎ、
前記発光部は、前記紫外線照射窓と対向して設けられ、
前記第２部分は、前記第１部分よりも前記導水部の上流側に接続され、上方から前記紫外線照射窓に向かう方向に水を流すことを特徴とする請求項５記載の吐水装置。
【請求項７】
前記制御部は、前記電磁弁を閉じた状態が所定時間継続された場合に、前記電磁弁を駆動して前記流路に水を供給することを特徴とする請求項５又は６に記載の吐水装置。
【発明の詳細な説明】
【技術分野】
【０００１】
本発明の態様は、一般的に、紫外線照射装置及び吐水装置に関する。
【背景技術】
【０００２】
流路を流れる水に紫外線を照射することにより、水に含まれる菌を低減させる紫外線照射装置がある（特許文献１）。紫外線照射装置は、例えば、衛生洗浄装置や水栓装置などの吐水装置に用いられる。衛生洗浄装置は、洋式腰掛便器に腰掛けた使用者の「おしり」などを水で洗浄する。例えば、衛生洗浄装置において、洗浄水に紫外線を照射することにより、洗浄水に含まれる菌を低減させる。これにより、より安全な洗浄水を使用者に供給することができる。
【０００３】
紫外線照射装置は、例えば、水を流す流路と、流路に設けられた紫外線照射窓と、紫外線照射窓を介して流路内を流れる水に紫外線を照射する発光部と、を含む。照射窓には、紫外線に対して高い透過率を有する石英ガラスなどの無機ガラスが用いられる。
【０００４】
このような紫外線照射装置では、流路内に流した水が乾燥した際に、水に含まれるカルシウム、マグネシウム、シリカなどのミネラル分が、照射窓の水と接する表面に水垢として析出してしまう場合がある。こうした水垢は、紫外線の透過率を低下させ、菌を減らす効果の劣化の要因となる。このため、紫外線照射装置及びこれを含む吐水装置では、照射窓表面における水垢の発生を抑制することが望まれる。
【先行技術文献】
【特許文献】
【０００５】
【特許文献１】特公平０５−００４４９９号公報
【発明の概要】
【発明が解決しようとする課題】
【０００６】
本発明は、かかる課題の認識に基づいてなされたものであり、照射窓表面における水垢の発生を抑制した紫外線照射装置及び吐水装置を提供することを目的とする。
【課題を解決するための手段】
【０００７】
第１の発明は、流路本体と、前記流路本体に設けられた一対の通水口と、を有し、前記一対の通水口の一方から供給された水を前記流路本体に流し、前記一対の通水口の他方から排出する流路と、前記流路本体を流れる水に紫外線照射窓を介して紫外線を照射する発光部と、を備え、前記紫外線照射窓は、前記流路本体を流れる水に接する表面を有し、前記流路は、水の供給が無い状態において前記一対の通水口の間の空気の流れを可能にしつつ前記紫外線照射窓の前記表面と接するように水を溜める貯水部を有することを特徴とする紫外線照射装置である。
【０００８】
この紫外線照射装置によれば、通水口からの水の供給が無い状態において一対の通水口の間の空気の流れを可能にしつつ紫外線照射窓の表面と接するように水を溜める貯水部を有するので、一対の通水口の間の水が抜けた場合においても紫外線照射窓の表面が乾燥して水垢が発生してしまうことを抑制することができる。これにより、水垢の発生にともなう紫外線の透過率の低下を抑制することができる。菌を減らす効果の経年的な劣化を抑制することができる。
【０００９】
第２の発明は、第１の発明において、前記流路本体は、水平方向に延びる第１部分と、前記第１部分から下方に延びる第２部分と、前記第２部分の下端に設けられた開口と、を有し、前記第２部分を前記貯水部とし、前記紫外線照射窓は、前記第２部分の下端に設けられ、前記開口を塞ぎ、前記発光部は、前記紫外線照射窓と対向して設けられることを特徴とする紫外線照射装置である。
【００１０】
この紫外線照射装置によれば、第１部分の水が抜けた時にも、第２部分に水が溜まるので、紫外線照射窓の表面が乾燥して水垢が発生してしまうことを抑制することができる。これにより、水垢の発生にともなう紫外線の透過率の低下を抑制することができる。菌を減らす効果の経年的な劣化を抑制することができる。
【００１１】
第３の発明は、第２の発明において、前記第２部分は、前記第１部分の一端に設けられ、前記第１部分から下方に延びるとともに上方に延び、前記流路本体は、前記第１部分と前記第２部分との接続部分において水の流れる向きを変えることを特徴とする紫外線照射装置である。
【００１２】
この紫外線照射装置によれば、接続部分において流路内を流れる水の流速を落とすことができ、水に紫外線が照射される時間を長くすることができる。
【００１３】
第４の発明は、第３の発明において、前記流路本体は、前記第２部分から水平方向に延びる第３部分をさらに有し、前記第３部分は、前記第１部分よりも上方に配置され、前記流路本体は、前記第１部分と前記第２部分との接続部分において水の流れる向きを変えるとともに、前記第２部分と前記第３部分との接続部分において水の流れる向きをさらに変えることを特徴とする紫外線照射装置である。
【００１４】
この紫外線照射装置によれば、流路内を流れる水の流速をより落とすことができ、水に紫外線が照射される時間をより長くすることができる。
【００１５】
第５の発明は、水を吐出する吐水口を有する吐水部と、給水源から前記吐水部に至る管路を有し、前記給水源から供給された水を前記吐水部に導く導水部と、前記管路を開閉する電磁弁と、前記導水部の経路上において前記吐水口よりも上流側に設けられた紫外線照射装置であって、流路本体と、前記流路本体に設けられた一対の通水口と、を有し、前記一対の通水口の一方から供給された水を前記流路本体に流し、前記一対の通水口の他方から排出する流路と、前記流路本体を流れる水に紫外線照射窓を介して紫外線を照射する発光部と、を有し、前記紫外線照射窓は、前記流路本体を流れる水に接する表面を有し、前記流路は、水の供給が無い状態において前記一対の通水口の間の空気の流れを可能にしつつ前記紫外線照射窓の前記表面と接するように水を溜める貯水部を有する紫外線照射装置と、前記電磁弁及び前記紫外線照射装置の動作を制御する制御部と、を備えたことを特徴とする吐水装置である。
【００１６】
この吐水装置によれば、通水口からの水の供給が無い状態において一対の通水口の間の空気の流れを可能にしつつ紫外線照射窓の表面と接するように水を溜める貯水部を有するので、一対の通水口の間の水が抜けた場合においても紫外線照射窓の表面が乾燥して水垢が発生してしまうことを抑制することができる。これにより、水垢の発生にともなう紫外線の透過率の低下を抑制することができる。菌を減らす効果の経年的な劣化を抑制することができる。
【００１７】
第６の発明は、第５の発明において、前記流路本体は、水平方向に延びる第１部分と、前記第１部分の一端に設けられ前記第１部分から下方に延びるとともに上方に延びる第２部分と、前記第２部分の下端に設けられた開口と、を有し、前記第２部分を前記貯水部とし、前記紫外線照射窓は、前記第２部分の下端に設けられ、前記開口を塞ぎ、前記発光部は、前記紫外線照射窓と対向して設けられ、前記第２部分は、前記第１部分よりも前記導水部の上流側に接続され、上方から前記紫外線照射窓に向かう方向に水を流すことを特徴とする吐水装置である。
【００１８】
この吐水装置によれば、水に紫外線が当たる時間を比較的長くすることができるとともに、水に照射される紫外線の均一性を高めることができ、より適切に菌を減らすことができる。
【００１９】
第７の発明は、第５又は第６の発明において、前記制御部は、前記電磁弁を閉じた状態が所定時間継続された場合に、前記電磁弁を駆動して前記流路に水を供給することを特徴とする吐水装置である。
【００２０】
この吐水装置によれば、第２部分に溜まった水の蒸発を抑制し、水垢の発生をより適切に抑制することができる。
【発明の効果】
【００２１】
本発明の態様によれば、照射窓表面における水垢の発生を抑制した紫外線照射装置及び吐水装置が提供される。
【図面の簡単な説明】
【００２２】
【図１】本発明の第１の実施の形態にかかる衛生洗浄装置を備えたトイレ装置を表す斜視模式図である。
【図２】第１の実施形態にかかる衛生洗浄装置の要部構成を表すブロック図である。
【図３】図３（ａ）及び図３（ｂ）は、第１の実施形態にかかる紫外線照射部を模式的に表す断面図及び分解断面図である。
【図４】第１の実施形態にかかる衛生洗浄装置の動作の具体例を例示するタイミングチャートである。
【図５】第１の実施形態にかかる紫外線照射部の変形例を模式的に表す断面図である。
【図６】第１の実施形態にかかる紫外線照射部の変形例を模式的に表す断面図である。
【図７】第１の実施形態にかかる紫外線照射部の変形例を模式的に表す断面図である。
【図８】図８（ａ）及び図８（ｂ）は、第１の実施形態にかかる紫外線照射部の変形例を模式的に表す断面図である。
【図９】図９（ａ）及び図９（ｂ）は、本実施形態にかかる紫外線照射部の変形例を模式的に表す断面図である。
【図１０】第１の実施形態にかかる紫外線照射部の変形例を模式的に表す断面図である。
【図１１】図１１（ａ）及び図１１（ｂ）は、本発明の第２の実施の形態にかかる水栓装置を表す斜視模式図及び側断面図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の第１の実施の形態にかかる衛生洗浄装置を備えたトイレ装置を表す斜視模式図である。  
図１に表したように、トイレ装置は、洋式腰掛便器（以下説明の便宜上、単に「便器」と称する）８００と、その上に設けられた衛生洗浄装置１００（吐水装置）と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２４】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３（吐水部）を便器８００のボウル８０１内に進出させることができる。なお、図１に表した衛生洗浄装置１００では、ノズル４７３がボウル８０１内に進出した状態を表している。
【００２５】
ノズル４７３は、人体局部に向けて水を吐出し、人体局部の洗浄を行う。ノズル４７３の先端部には、ビデ洗浄吐水口４７４ａ及びおしり洗浄吐水口４７４ｂが設けられている。ノズル４７３は、その先端に設けられたビデ洗浄吐水口４７４ａから水を噴射して、便座２００に座った女性の女性局部を洗浄することができる。あるいは、ノズル４７３は、その先端に設けられたおしり洗浄吐水口４７４ｂから水を噴射して、便座２００に座った使用者の「おしり」を洗浄することができる。なお、本願明細書において「水」という場合には、冷水のみならず、加熱されたお湯も含むものとする。
【００２６】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「ビデ洗浄」と、「おしり洗浄」と、「やわらか洗浄」と、を実行することができる。
【００２７】
なお、図１に表したノズル４７３では、ビデ洗浄吐水口４７４ａがおしり洗浄吐水口４７４ｂよりもノズル４７３の先端側に設けられているが、ビデ洗浄吐水口４７４ａおよびおしり洗浄吐水口４７４ｂの設置位置は、これだけに限定されるわけではない。ビデ洗浄吐水口４７４ａは、おしり洗浄吐水口４７４ｂよりもノズル４７３の後端側に設けられていてもよい。また、図１に表したノズル４７３では、２つの吐水口が設けられているが、３つ以上の吐水口が設けられていてもよい。
【００２８】
図２は、第１の実施形態にかかる衛生洗浄装置の要部構成を表すブロック図である。  
図２では、水路系と電気系の要部構成を併せて表している。  
図２に表したように、衛生洗浄装置１００は、導水部２０を有する。導水部２０は、水道や貯水タンクなどの給水源１０からノズル４７３に至る管路２０ａを有する。導水部２０は、管路２０ａにより、給水源１０から供給された水をノズル４７３に導く。管路２０ａは、例えば、以下に説明する電磁弁４３１、熱交換器ユニット４４０、流路切替部４７２などの各部と、これらの各部を接続する複数の配管と、によって形成される。
【００２９】
導水部２０の上流側には、電磁弁４３１が設けられている。電磁弁４３１は、開閉可能な電磁バルブであり、ケーシング４００の内部に設けられた制御部４０５からの指令に基づいて水の供給を制御する。換言すれば、電磁弁４３１は、管路２０ａを開閉する。電磁弁４３１を開状態にすることにより、給水源１０から供給された水が、管路２０ａに流れる。
【００３０】
電磁弁４３１の下流には、調圧弁４３２が設けられている。調圧弁４３２は、給水圧が高い場合に、管路２０ａ内の圧力を所定の圧力範囲に調整する。調圧弁４３２の下流には、逆止弁４３３が設けられている。逆止弁４３３は、管路２０ａ内の圧力が低下した場合などに、逆止弁４３３よりも上流側への水の逆流を抑制する。
【００３１】
逆止弁４３３の下流には、熱交換器ユニット４４０が設けられている。熱交換器ユニット４４０は、ヒータを有し、給水源１０から供給された水を加熱して例えば規定の温度まで昇温する。すなわち、熱交換器ユニット４４０は、温水を生成する。
【００３２】
本実施形態の熱交換器ユニット４４０は、例えばセラミックヒータなどを用いた瞬間加熱式（瞬間式）の熱交換器であり、貯湯タンクを用いた貯湯加熱式熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。
【００３３】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００３４】
熱交換器ユニット４４０の下流には、流量センサ４４２が設けられている。流量センサ４４２は、熱交換器ユニット４４０から吐出された水の流量を検知する。すなわち、流量センサ４４２は、管路２０ａ内を流れる水の流量を検知する。流量センサ４４２は、制御部４０５に接続されている。流量センサ４４２は、流量の検知結果を制御部４０５に入力する。
【００３５】
流量センサ４４２の下流には、電解槽ユニット４５０が設けられている。電解槽ユニット４５０は、内部を流れる水道水を電気分解することにより、水道水から次亜塩素酸を含む液（機能水）を生成する。電解槽ユニット４５０は、制御部４０５に接続されている。電解槽ユニット４５０は、制御部４０５による制御に基づいて、機能水の生成を行う。
【００３６】
電解槽ユニット４５０において生成される機能水は、例えば、銀イオンや銅イオンなどの金属イオンを含む溶液であってもよい。あるいは、電解槽ユニット４５０において生成される機能水は、電解塩素やオゾンなどを含む溶液であってもよい。あるいは、電解槽ユニット４５０において生成される機能水は、酸性水やアルカリ水であってもよい。
【００３７】
電解槽ユニット４５０の下流には、バキュームブレーカ（ＶＢ）４５２が設けられている。バキュームブレーカ４５２は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４５２は、導水部２０に水の流れが無い時に、管路２０ａ内に空気を取り込む。弁機構には、例えば、フロート弁が用いられる。
【００３８】
バキュームブレーカ４５２は、上記のように管路２０ａ内に空気を取り込むことにより、例えば、管路２０ａのバキュームブレーカ４５２よりも下流の部分の水抜きを促進させる。バキュームブレーカ４５２は、例えば、ノズル４７３の水抜きを促進する。このように、バキュームブレーカ４５２は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００３９】
バキュームブレーカ４５２の下流には、圧力変調装置４５４が設けられている。圧力変調装置４５４は、導水部２０の管路２０ａ内の水の流れに脈動または加速を与え、ノズル４７３のビデ洗浄吐水口４７４ａ及びおしり洗浄吐水口４７４ｂやノズル洗浄室４７８の吐水部から吐水される水に脈動を与える。すなわち、圧力変調装置４５４は、管路２０ａ内を流れる水の流動状態を変動させる。圧力変調装置４５４は、制御部４０５に接続されている。圧力変調装置４５４は、制御部４０５による制御に基づいて、水の流動状態を変動させる。
【００４０】
圧力変調装置４５４の下流には、紫外線照射部４６０（紫外線照射装置）が設けられている。紫外線照射部４６０は、管路２０ａ内を流れる水に紫外線を照射する。紫外線照射部４６０は、例えば、紫外線の照射により、管路２０ａ内を流れる水に含まれる菌の少なくとも一部を死滅又は不活性化させる。これにより、紫外線照射部４６０は、管路２０ａ内を流れる水に含まれる生きた菌を減らす。紫外線照射部４６０は、例えば、紫外線の照射により、洗浄水を除菌する。紫外線照射部４６０は、制御部４０５に接続されている。紫外線照射部４６０は、制御部４０５による制御に基づいて、紫外線の照射を行う。紫外線照射部４６０の位置は、各吐水口よりも上流側の任意の位置でよい。
【００４１】
紫外線照射部４６０の下流には、流量調整部４７１が設けられている。流量調整部４７１は、水勢（流量）の調整を行う。流量調整部４７１の下流には、流路切替部４７２が設けられている。流路切替部４７２は、ノズル４７３やノズル洗浄室４７８への給水の開閉や切替を行う。流量調整部４７１及び流路切替部４７２は、１つのユニットとして設けてもよい。流量調整部４７１及び流路切替部４７２は、制御部４０５に接続されている。流量調整部４７１及び流路切替部４７２の動作は、制御部４０５によって制御される。
【００４２】
流路切替部４７２の下流には、ノズル４７３、ノズル洗浄室４７８、及び噴霧ノズル４７９が設けられている。ノズル４７３は、ノズルモータ４７６からの駆動力を受け、便器８００のボウル８０１内に進出したり後退したりする。つまり、ノズルモータ４７６は、制御部４０５からの指令に基づいてノズル４７３を進退させる。
【００４３】
ノズル洗浄室４７８は、その内部に設けられた吐水部から機能水あるいは水を噴射することにより、ノズル４７３の外周表面（胴体）を洗浄する。噴霧ノズル４７９は、洗浄水や機能水をミスト状にしてボウル８０１に噴霧する。この例では、人体を洗浄するためのノズル４７３とは別に噴霧ノズル４７９を設けている。これに限ることなく、ミスト状の液体をボウル８０１に噴霧するための吐水口をノズル４７３に設けてもよい。
【００４４】
また、流路切替部４７２の下流には、おしり洗浄流路２１と、やわらか洗浄流路２２と、ビデ洗浄流路２３と、が設けられている。おしり洗浄流路２１及びやわらか洗浄流路２２は、導水部２０を介して給水源１０から供給された水や電解槽ユニット４５０において生成された機能水をおしり洗浄吐水口４７４ｂへ導く。ビデ洗浄流路２３は、導水部２０を介して給水源１０から供給された水や電解槽ユニット４５０において生成された機能水をビデ洗浄吐水口４７４ａへ導く。
【００４５】
また、流路切替部４７２の下流には、表面洗浄流路２４と、噴霧用流路２５と、が設けられている。表面洗浄流路２４は、導水部２０を介して給水源１０から供給された水や電解槽ユニット４５０において生成された機能水をノズル洗浄室４７８の吐水部へ導く。噴霧用流路２５は、導水部２０を介して給水源１０から供給される水や電解槽ユニット４５０において生成された機能水を噴霧ノズル４７９に導く。
【００４６】
制御部４０５は、流路切替部４７２を制御することにより、おしり洗浄流路２１、やわらか洗浄流路２２、ビデ洗浄流路２３、表面洗浄流路２４と、及び噴霧用流路２５の各流路の開閉を切り替える。このように、流路切替部４７２は、ビデ洗浄吐水口４７４ａ、洗浄吐水口４７４ｂ、ノズル洗浄室４７８、及び噴霧ノズル４７９などの複数の吐水口のそれぞれについて、管路２０ａに連通させた状態と、管路２０ａに連通させない状態と、を切り替える。
【００４７】
制御部４０５は、電源回路４０１から電力を供給され、人体検知センサ４０３や、着座検知センサ４０４や、流量センサ４４２や、操作部５００などからの信号に基づいて、電磁弁４３１や、熱交換器ユニット４４０や、電解槽ユニット４５０や、圧力変調装置４５４や、紫外線照射部４６０や、流量調整部４７１や、流路切替部４７２や、ノズルモータ４７６などの動作を制御する。
【００４８】
人体検知センサ４０３は、図１に表したように、ケーシング４００の上面に形成された凹設部４０９に埋め込まれるように設けられ、便座２００に近づいた使用者（人体）を検知する。また、便蓋３００の後部には透過窓３１０が設けられている。そのため、便蓋３００が閉じた状態において、人体検知センサ４０３は、透過窓３１０を介して使用者の存在を検知することができる。制御部４０５は、例えば、人体検知センサ４０３による使用者の検知に応答して、便蓋３００を自動的に開く。
【００４９】
操作部５００には、例えば、おしり洗浄ボタン、やわらか洗浄ボタン、ビデ洗浄ボタン、洗浄停止ボタン、水温調節ボタンなどの複数の操作部材が設けられている。操作部５００は、使用者の操作部材の操作に応じて、対応する指示を制御部４０５に入力する。操作部５００は、少なくとも人体洗浄（おしり洗浄、やわらか洗浄、ビデ洗浄など）の開始の指示及び人体洗浄の停止の指示を制御部４０５に入力できればよい。操作部５００がリモコンである場合、操作部５００は、ケーシング４００とは別に設けられる。この場合、操作部５００は、各種の信号を無線信号として制御部４０５に入力する。操作部５００は、ケーシング４００に一体に設けてもよい。
【００５０】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００５１】
図３（ａ）及び図３（ｂ）は、第１の実施形態にかかる紫外線照射部を模式的に表す断面図及び分解断面図である。  
図３（ａ）及び図３（ｂ）に表したように、紫外線照射部４６０は、流路６００と、紫外線照射窓６０１と、発光素子６０２（発光部）と、を有する。流路６００は、流路本体６１０と、流路本体６１０に設けられた一対の通水口６１０ａ、６１０ｂと、を有する。流路６００は、一対の通水口６１０ａ、６１０ｂの一方から供給された水を流路本体６１０に流し、一対の通水口６１０ａ、６１０ｂの他方から排出する。流路６００は、例えば、圧力変調装置４５４から送られた水を流路本体６１０に流し、流量調整部４７１に送る。
【００５２】
紫外線照射窓６０１は、紫外線に対して透過性を有する。紫外線照射窓６０１は、流路６００の開口部分に設けられる。紫外線照射窓６０１は、流路本体６１０を流れる水に接する表面６０１ａ（流路６００の一部を構成する面）を有する。
【００５３】
発光素子６０２は、紫外線照射窓６０１と対向して設けられる。発光素子６０２は、紫外線照射窓６０１を介して流路本体６１０を流れる水に紫外線を照射する。発光素子６０２の照射する紫外線の波長は、例えば、２００ｎｍ以上４００ｎｍ以下である。好ましくは、２５０ｎｍである。これにより、流路６００を流れる水に含まれる菌を適切に減らすことができる。紫外線照射窓６０１は、発光素子６０２の照射する紫外線の波長に対して透過性である。
【００５４】
発光素子６０２は、例えば、ＬＥＤ（Light Emitting Diode）である。発光素子６０２は、ＬＥＤに限ることなく、例えば、ＬＤ（Laser Diode）やＯＬＥＤ（Organic Light Emitting Diode）などでもよい。
【００５５】
流路本体６１０は、第１部分６１１と、第２部分６１２と、開口６１５と、を有する。第１部分６１１は、水平方向に延びる。第１部分６１１の延びる方向は、完全な水平方向（上下方向に対して垂直な方向）に限らない。第１部分６１１の延びる方向は、少なくとも水平方向に延びる成分を有していればよい。
【００５６】
第２部分６１２は、第１部分６１１から下方に延びる。また、この例において、第２部分６１２は、第１部分６１１の一端に設けられ、第１部分６１１から下方に延びるとともに上方に延びる。この例において、第２部分６１２は、上下方向に延びる直管状である。第１部分６１１は、換言すれば、第２部分６１２から側方に延びる管である。
【００５７】
開口６１５は、第２部分６１２の下端に設けられる。開口６１５は、第２部分６１２を下方に開放させる。開口６１５は、第２部分６１２の延びる方向と同じ方向を向く。開口６１５の外縁には、凹部６１２ａが設けられている。凹部６１２ａには、紫外線照射窓６０１が嵌め込まれる。紫外線照射窓６０１の形状は、凹部６１２ａの形状と実質的に同じである。このように、紫外線照射窓６０１は、第２部分６１２の下端に設けられ、開口６１５を塞ぐ。紫外線照射窓６０１は、流路６００の外部に配置される発光素子６０２の紫外線を流路６００の内部に入射させる。紫外線照射窓６０１には、例えば、石英ガラスなどの無機ガラスが用いられる。
【００５８】
このように、この例では、発光素子６０２が流路６００の外側に設けられている。これに限ることなく、例えば、発光素子６０２が樹脂や金属などのパッケージで封止されている場合には、発光素子６０２の少なくとも一部を流路６００内に配置してもよい。この場合、紫外線照射窓６０１は、発光素子６０２のパッケージに設けられたものでもよい。このように、発光素子６０２（発光部）は、紫外線照射窓６０１を有してもよい。
【００５９】
凹部６１２ａには、さらに凹部６１２ｂが設けられている。凹部６１２ｂは、開口６１５の外縁を囲む環状である。凹部６１２ｂには、パッキン６０４が嵌め込まれる。パッキン６０４には、ゴムなどの弾性のある材料が用いられる。パッキン６０４は、凹部６１２ｂに入り込み、流路６００と紫外線照射窓６０１とに挟まれて僅かに弾性変形し、流路６００と紫外線照射窓６０１との間に空く隙間を塞ぐ。これにより、パッキン６０４は、紫外線照射窓６０１からの水漏れを抑制する。
【００６０】
一方の通水口６１０ａは、第２部分６１２の上端に設けられている。他方の通水口６１０ｂは、第１部分６１１の第２部分６１２と反対側の端部に設けられている。通水口６１０ａは、例えば、圧力変調装置４５４に接続される。通水口６１０ｂは、例えば、流量調整部４７１に接続される。これにより、圧力変調装置４５４を出た水が、通水口６１０ａから流路本体６１０内に入り、通水口６１０ｂを介して流量調整部４７１に流れる。すなわち、流路６００は、管路２０ａの一部を形成する。
【００６１】
このように、流路６００では、第２部分６１２が、第１部分６１１よりも導水部２０の上流側に接続される。流路６００では、水が、通水口６１０ａから通水口６１０ｂに向かって流れる。流路６００は、上方から紫外線照射窓６０１に向かう方向に水を流す。これとは反対に、通水口６１０ｂから通水口６１０ａに向かって水を流してもよい。
【００６２】
通水口６１０ａは、第２部分６１２の延びる方向と同じ方向を向く。一方、通水口６１０ｂは、第２部分６１２の延びる方向に対して略直交する方向を向く。すなわち、この例において、流路本体６１０は、略Ｌ字状の管路である。流路本体６１０は、第１部分６１１と第２部分６１２との接続部分において水の流れる向きを変える。
【００６３】
また、流路６００では、第２部分６１２が、第１部分６１１から下方に延びる。これにより、流路６００では、第１部分６１１の水が抜けた時にも、第２部分６１２のうちの第１部分６１１よりも下方の部分に水が溜まる。すなわち、流路６００では、第２部分６１２のうちの第１部分６１１よりも下方の部分が、貯水部ＷＳＵとして機能する。貯水部ＷＳＵは、通水口６１０ａ又は通水口６１０ｂから水の供給が無い状態において、各通水口６１０ａ、６１０ｂの間の空気の流れを可能にしつつ、紫外線照射窓６０１の表面６０１ａと接するように水を溜める。貯水部ＷＳＵは、紫外線照射窓６０１の表面６０１ａの上に水を溜める。流路６００の形状は、これに限ることなく、内部に水を流すことができ、かつ、紫外線照射窓６０１の表面６０１ａの上に水を溜めることが可能な任意の形状でよい。
【００６４】
流路６００の第２部分６１２の下端には、蓋部６０５が取り付けられる。蓋部６０５は、第２部分６１２の下端に取り付けられ、流路６００とともに紫外線照射窓６０１及びパッキン６０４を挟む。これにより、蓋部６０５は、紫外線照射窓６０１及びパッキン６０４を保持する。蓋部６０５には、紫外線照射窓６０１と対向する位置に、開口６０５ａが設けられている。
【００６５】
発光素子６０２は、基板６０６に実装されている。基板６０６は、流路６００と反対側から蓋部６０５に取り付けられる。発光素子６０２は、基板６０６が蓋部６０５に取り付けられた状態で、蓋部６０５の開口６０５ａに入り込む。これにより、発光素子６０２が、紫外線照射窓６０１と対向し、発光素子６０２から照射された紫外線が、紫外線照射窓６０１を介して流路６００の流路本体６１０内に入射する。
【００６６】
発光素子６０２は、例えば、基板６０６を介して制御部４０５に接続され、制御部４０５からの指示に応じて紫外線の照射を行う。発光素子６０２の点灯及び消灯は、制御部４０５によって制御される。制御部４０５は、例えば、実質的に一定の電流を発光素子６０２に供給する定電流駆動によって発光素子６０２から紫外線を照射させる。これにより、例えば、発光素子６０２から照射される紫外線の強度を実質的に一定に保つことができる。
【００６７】
発光素子６０２の駆動方式は、これに限ることなく、例えば、定電圧駆動でもよいし、他の駆動方式でもよい。発光素子６０２の駆動方式は、例えば、ＰＷＭ（Pulse Width Modulation）方式など、オン・オフを高速で切り替える方式でもよい。基板６０６は、例えば、発光素子６０２を駆動するための駆動回路を有してもよい。例えば、発光素子６０２の点灯及び消灯を制御する制御部を基板６０６に設けてもよい。
【００６８】
このように、発光素子６０２は、流路本体６１０の直管状の第２部分６１２の下端に取り付けられる。従って、発光素子６０２の紫外線を照射する方向は、第２部分６１２の延びる方向と同じである。例えば、発光素子６０２の光軸は、第２部分６１２の延びる方向と略平行である。
【００６９】
発光素子６０２の紫外線の照射方向は、上記に限ることなく、流路本体６１０を流れる水に対して紫外線を照射可能な任意の方向でよい。但し、上記のように、発光素子６０２の紫外線を照射する方向を、第２部分６１２の延びる方向と同じとする。例えば、発光素子６０２から照射される紫外線の方向が、少なくとも第２部分６１２の延びる方向と同じ方向に向かう成分を有するようにする。これにより、紫外線が水に当たる時間が長くなり、水に含まれる菌をより適切に減らすことができる。
【００７０】
この例では、直管状の第２部分６１２を示しているが、第２部分６１２の形状は、水を流すことが可能な任意の形状でよい。第２部分６１２の少なくとも一部に直管状の部分を設け、この直管状の部分の延びる方向が、発光素子６０２の紫外線の照射方向と同じになるようにしてもよい。
【００７１】
流路本体６１０の第２部分６１２は、本体部６１６と、反射部６１７と、を有する。反射部６１７は、本体部６１６の内側に設けられる。反射部６１７は、流路本体６１０の内面の少なくとも一部を形成する。反射部６１７は、発光素子６０２から照射される紫外線に対して反射性である。発光素子６０２から照射される紫外線に対し、反射部６１７の反射率は、本体部６１６の反射率よりも高い。本体部６１６には、例えば、樹脂材料が用いられる。反射部６１７には、例えば、アルミニウム、ステンレス、銀などの金属材料が用いられる。反射部６１７の材料は、金属材料に限ることなく、例えば、誘電体多層膜などでもよい。反射部６１７の材料は、発光素子６０２から照射される紫外線に対して反射性であり、かつ本体部６１６よりも高い反射率を有する任意の材料でよい。
【００７２】
次に、本実施形態にかかる衛生洗浄装置の動作の具体例について、図面を参照しつつ説明する。  
図４は、第１の実施形態にかかる衛生洗浄装置の動作の具体例を例示するタイミングチャートである。  
図４に表したように、着座検知センサ４０４が使用者を検知する前の待機状態では、ノズル４７３は、ケーシング４００に収納されている（タイミングｔ０〜ｔ１）。
【００７３】
人体検知センサ４０３がトイレ室に入室した使用者を検知すると、制御部４０５は、電磁弁４３１を開くとともに、噴霧ノズル４７９のみを導水部２０の管路２０ａに連通させるように流路切替部４７２を駆動することにより、上水をボウル８０１の表面に噴霧する（タイミングｔ１）。上水が噴霧される時間は、例えば約４秒間程度である（タイミングｔ１〜ｔ２）。このように、使用者が便器８００を使用する前に、ボウル８０１の表面を濡らすことで、ボウル８０１の表面に付着する汚物を軽減させることができる。
【００７４】
制御部４０５は、使用者の操作に応じて操作部５００から人体洗浄の開始の指示が入力されると、電磁弁４３１を開くとともに、ビデ洗浄吐水口４７４ａ及びおしり洗浄吐水口４７４ｂのみを導水部２０の管路２０ａに連通させるように流路切替部４７２を駆動する（タイミングｔ３）。これにより、制御部４０５は、ノズル４７３を収納した状態で、給水源１０からビデ洗浄吐水口４７４ａ及びおしり洗浄吐水口４７４ｂへと至る経路を洗浄する。
【００７５】
また、制御部４０５は、このタイミングで熱交換器ユニット４４０を動作させることにより、温水の生成を開始する。より具体的には、流量センサ４４２の検出値が、所定値以上になった時点で熱交換器ユニット４４０の動作を開始させる。これにより、熱交換器ユニット４４０内に水が無い状態で加熱を開始してしまうことを抑制することができる。いわゆる、熱交換器ユニット４４０の空炊きを抑制できる。従って、熱交換器ユニット４４０の動作を開始するタイミングは、厳密には、人体洗浄の開始の指示が入力されたタイミング（電磁弁４３１を開いたタイミング）よりも僅かに遅れる。
【００７６】
また、制御部４０５は、人体洗浄の開始の指示（吐水開始の指示）が入力されると、紫外線照射部４６０の発光素子６０２を点灯させ、流路６００の流路本体６１０に流れる水に対する紫外線の照射を開始する。これにより、流路６００の流路本体６１０に流れる水に含まれる菌を減らし、安全な洗浄水をノズル４７３に供給することができる。また、この例では、人体検知センサ４０３の検知に応じたボウル８０１の表面への水の噴霧により、流路本体６１０内に水が充填される。従って、人体洗浄の開始の指示と実質的に同時に紫外線照射部４６０を駆動した場合でも、流路本体６１０内に水が充填された状態で紫外線が照射される。このように、制御部４０５は、流路本体６１０内に水を充填してから紫外線照射部４６０に紫外線を照射させる。これにより、流路本体６１０内に水が無い状態での紫外線の照射を抑制し、紫外線の照射にともなう流路６００の劣化を抑制することができる。
【００７７】
制御部４０５は、所定時間洗浄を行った後、ノズル洗浄室４７８のみを導水部２０の管路２０ａに連通させるように流路切替部４７２を駆動するとともに、ノズルモータ４７６を駆動することにより、ノズル４７３の胴体洗浄を行いながらノズル４７３をボウル８０１内に進出させる（タイミングｔ４）。
【００７８】
制御部４０５は、ノズル４７３をボウル内に進出させた後、ビデ洗浄吐水口４７４ａ及びおしり洗浄吐水口４７４ｂのいずれか一方のみを導水部２０の管路２０ａに連通させるように流路切替部４７２を駆動することにより、人体洗浄を開始する（タイミングｔ５）。
【００７９】
制御部４０５は、操作部５００から人体洗浄の停止が指示されると、ノズル洗浄室４７８のみを導水部２０の管路２０ａに連通させるように流路切替部４７２を駆動するとともに、ノズルモータ４７６を駆動することにより、ノズル４７３の胴体洗浄を行いながらノズル４７３をケーシング４００内に収納する（タイミングｔ６）。
【００８０】
制御部４０５は、ノズル４７３の収納を完了させた後、ビデ洗浄吐水口４７４ａ及びおしり洗浄吐水口４７４ｂのみを導水部２０の管路２０ａに連通させるように流路切替部４７２を駆動することにより、給水源１０からノズル４７３へと至る経路を洗浄する（タイミングｔ７）。
【００８１】
制御部４０５は、所定時間洗浄を行った後、電磁弁４３１を閉じるとともに、熱交換器ユニット４４０及び紫外線照射部４６０の動作を停止させる（タイミングｔ８）。このように、制御部４０５は、人体洗浄の停止の指示（吐水停止の指示）に応じて電磁弁４３１を閉じ、紫外線照射部４６０を停止させる。
【００８２】
制御部４０５は、人体検知センサ４０３による使用者の検知の解除から所定時間経過した後、ビデ洗浄吐水口４７４ａ、洗浄吐水口４７４ｂ、ノズル洗浄室４７８、及び噴霧ノズル４７９のそれぞれを管路２０ａと連通させるように流路切替部４７２を駆動することにより、ノズル４７３内に溜まった水の水抜き動作を行う（タイミングｔ９）。この時、バキュームブレーカ４５２内の水が減ると、バキュームブレーカ４５２の吸気口が開き、管路２０ａ内に空気が取り込まれる。これにより、バキュームブレーカ４５２よりも下流の部分の水抜きが促進される。
【００８３】
また、水抜き動作を行い、各通水口６１０ａ、６１０ｂの間に空気が流れる状態にした後にも、流路６００の貯水部ＷＳＵには、水が溜まっている。これにより、各通水口６１０ａ、６１０ｂの間の水が抜けた場合においても、紫外線照射窓６０１の表面６０１ａの乾燥を抑制することができる。紫外線照射窓６０１の表面６０１ａにおける水垢の発生を抑制し、これにともなう紫外線照射窓６０１の紫外線の透過率の低下を抑制することができる。
【００８４】
制御部４０５は、所定時間水抜きを行った後、流路切替部４７２を駆動し、ビデ洗浄吐水口４７４ａ、洗浄吐水口４７４ｂ、ノズル洗浄室４７８、及び噴霧ノズル４７９のそれぞれと管路２０ａとの連通を閉じる（タイミングｔ１０）。
【００８５】
制御部４０５は、水抜き動作からさらに所定時間経過した後、電磁弁４３１を開くとともに、ビデ洗浄吐水口４７４ａ及びおしり洗浄吐水口４７４ｂのみを導水部２０の管路２０ａに連通させるように流路切替部４７２を駆動する（タイミングｔ１１）。また、制御部４０５は、電解槽ユニット４５０を動作させる。これにより、制御部４０５は、ノズル４７３を収納した状態で、給水源１０からビデ洗浄吐水口４７４ａ及びおしり洗浄吐水口４７４ｂへと至る経路を機能水で洗浄する。制御部４０５は、例えば、電解槽ユニット４５０とノズル４７３との間の経路を機能水で除菌する。
【００８６】
制御部４０５は、所定時間洗浄を行った後、ノズル洗浄室４７８のみを導水部２０の管路２０ａに連通させるように流路切替部４７２を駆動するとともに、ノズルモータ４７６を駆動することにより、ノズル４７３を進退させ、ノズル４７３の胴体を機能水で洗浄する（タイミングｔ１１〜ｔ１２）。例えば、ノズル４７３の胴体を機能水で除菌する。
【００８７】
制御部４０５は、ノズル４７３の胴体を洗浄した後、電解槽ユニット４５０とノズル４７３との間の経路を再び機能水で洗浄し、電磁弁４３１を閉じるとともに、電解槽ユニット４５０の動作を停止させる（タイミングｔ１３〜ｔ１４）。
【００８８】
制御部４０５は、ノズル４７３の除菌を行った後、再び水抜き動作を行う（タイミングｔ１５）。この時、制御部４０５は、ノズルモータ４７６を駆動し、ノズル４７３を進退させる（タイミングｔ１６〜ｔ１７）。これにより、例えば、バキュームブレーカ４５２と各吐水口４７４ａ、４７４ｂとの間の高低差が大きくなり、バキュームブレーカ４５２よりも下流の部分の水抜きをより確実に行うことができる。
【００８９】
また、制御部４０５は、電磁弁４３１を閉じた状態が所定時間継続された場合に、電磁弁４３１を駆動する（タイミングｔ１８）。換言すれば、制御部４０５は、ノズル４７３が長時間使用されなかった場合に、電磁弁４３１を駆動する。制御部４０５は、電磁弁４３１の駆動により、紫外線照射部４６０の流路６００に水を供給する。これにより、流路６００の貯水部ＷＳＵに溜まった水の蒸発を抑制し、水垢の発生をより適切に抑制することができる。
【００９０】
例えば、電磁弁４３１を駆動するタイミングｔ１８で電解槽ユニット４５０を駆動させることにより、流路６００への水の供給において、ノズル４７３に至る経路の洗浄を兼ねてもよい。
【００９１】
制御部４０５は、電磁弁４３１を駆動した後、流路切替部４７２及びノズルモータ４７６駆動することにより、再び水抜き動作を行う（タイミングｔ１９〜ｔ２０）。例えば、貯水部ＷＳＵの容量が比較的大きい場合などは、貯水部ＷＳＵに供給する分だけ水を流すことにより、水抜き動作を省略してもよい。
【００９２】
以上、説明したように、衛生洗浄装置１００及び紫外線照射部４６０では、流路６００が、通水口６１０ａ又は通水口６１０ｂからの水の供給が無い状態において、各通水口６１０ａ、６１０ｂの間の空気の流れを可能にしつつ、紫外線照射窓６０１の表面６０１ａと接するように水を溜める貯水部ＷＳＵを有する。紫外線照射部４６０では、流路６００の第１部分６１１の水が抜けた時にも、第２部分６１２に水が溜まる。これにより、紫外線照射窓６０１の表面６０１ａが乾燥して水垢が発生してしまうことを抑制することができる。これにより、水垢の発生にともなう紫外線照射窓６０１の紫外線の透過率の低下を抑制することができる。菌を減らす効果の経年的な劣化を抑制することができる。
【００９３】
また、衛生洗浄装置１００及び紫外線照射部４６０では、流路６００の流路本体６１０が、第１部分６１１と第２部分６１２との接続部分において水の流れる向きを変える。これにより、第１部分６１１と第２部分６１２との接続部分において流路本体６１０内を流れる水の流速を落とすことができ、水に紫外線が照射される時間を長くすることができる。
【００９４】
また、衛生洗浄装置１００及び紫外線照射部４６０では、第２部分６１２が、第１部分６１１よりも導水部２０の上流側に接続され、上方から紫外線照射窓６０１に向かう方向に水を流す。これにより、水に紫外線が当たる時間を比較的長くすることができるとともに、水に照射される紫外線の均一性を高めることができ、より適切に菌を減らすことができる。
【００９５】
また、衛生洗浄装置１００及び紫外線照射部４６０では、制御部４０５が、電磁弁４３１を閉じた状態が所定時間継続された場合に、電磁弁４３１を駆動して流路６００に水を供給する。これにより、流路６００の第２部分６１２（貯水部ＷＳＵ）に溜まった水の蒸発を抑制し、紫外線照射窓６０１の表面６０１ａでの水垢の発生をより適切に抑制することができる。
【００９６】
図５は、第１の実施形態にかかる紫外線照射部の変形例を模式的に表す断面図である。  図５に表したように、紫外線照射部４６１では、流路６００の流路本体６１０が第３部分６１３をさらに有する。なお、上記実施形態と機能・構成上実質的に同じものについては、同符号を付し、詳細な説明は省略する。
【００９７】
第３部分６１３は、第２部分６１２から水平方方向に延びる。第３部分６１３は、第１部分６１１よりも上方に配置される。この例において、第３部分６１３の延びる方向は、第１部分６１１の延びる方向と実質的に同じである。第３部分６１３の延びる方向は、第１部分６１１の延びる方向と異なってもよい。
【００９８】
第３部分６１３の第２部分６１２と反対側の端部には、通水口６１０ｃが設けられている。この例において、流路６００は、流路本体６１０の通水口６１０ｂと通水口６１０ｃとの間に水を流す。通水口６１０ｃは、第２部分６１２の延びる方向に対して直交する方向を向く。すなわち、この例において、流路本体６１０は、略Ｕ字状の管路である。
【００９９】
この例では、例えば、通水口６１０ｃが、圧力変調装置４５４に接続される。これにより、第２部分６１２が、第３部分６１３を介して第１部分６１１よりも導水部２０の上流側に接続される。従って、この例においても、水が、通水口６１０ｃから通水口６１０ｂに向かって流れる。流路本体６１０は、上方から紫外線照射窓６０１に向かう方向に水を流す。
【０１００】
流路本体６１０は、第１部分６１１と第２部分６１２との接続部分において水の流れる向きを変えるとともに、第２部分６１２と第３部分６１３との接続部分において水の流れる向きを変える。
【０１０１】
これにより、紫外線照射部４６１では、流路本体６１０内を流れる水の流速をより落とすことができ、水に紫外線が照射される時間をより長くすることができる。例えば、流路本体６１０内を流れる水に含まれる菌をより適切に減らすことができる。
【０１０２】
図６は、第１の実施形態にかかる紫外線照射部の変形例を模式的に表す断面図である。  図６に表したように、紫外線照射部４６２では、流路６００の流路本体６２０が、水平方向に延びる第１部分６２１と、第１部分６２１から下方に延びる第２部分６２２と、第２部分６２２の下端に設けられた開口６２５と、を有する。
【０１０３】
流路本体６２０において、第２部分６２２は、第１部分６２１の途中の部分から下方に延びる凹状である。第１部分６２１の一端には、通水口６２０ａが設けられている。第１部分６２１の他端には、通水口６２０ｂが設けられている。各通水口６２０ａ、６２０ｂは、第１部分６２１の延びる方向と同じ方向を向く。すなわち、流路本体６２０は、水平方向に延びる直線状の管路である。
【０１０４】
このような形状の流路本体６２０においても、第１部分６２１の水が抜けた時に、各通水口６２０ａ、６２０ｂの間の空気の流れを可能にしつつ、第２部分６２２に水を溜めることができる。この例では、第２部分６２２を貯水部ＷＳＵとすることができる。従って、紫外線照射窓６０１の表面６０１ａに水垢が発生し、紫外線照射窓６０１の紫外線の透過率が低下してしまうことを抑制することができる。
【０１０５】
流路本体６２０において、第１部分６２１の延びる方向（水平方向）における第２部分６２２の幅は、下方から上方に向かって広がっている。これにより、例えば、第２部分６２２における水の滞留を抑制することができる。例えば、第２部分６２２内の水を置換し易くすることができる。
【０１０６】
図７は、第１の実施形態にかかる紫外線照射部の変形例を模式的に表す断面図である。  図７に表したように、紫外線照射部４６３では、流路６００の流路本体６３０が、水平方向に延びる第１部分６３１と、第１部分６３１から下方に延びる第２部分６３２と、第２部分６３２の下端に設けられた開口６３５と、を有する。
【０１０７】
第２部分６３２は、第１部分６３１の途中の部分から下方に延びる凹状である。第１部分６３１の一端には、通水口６３０ａが設けられている。第１部分６３１の他端には、下方に延びる第３部分６３３が設けられている。第３部分６３３の第１部分６３１と反対側の端部には、通水口６３０ｂが設けられている。この例において、流路本体６３０は、クランク状に屈曲した管路である。
【０１０８】
通水口６３０ｂは、第１部分６３１と第２部分６３２との接続部分よりも下方に位置する。通水口６３０ｂは、第２部分６３２よりも下方に位置する。流路本体６３０においても、第１部分６３１の水が抜けた時に、各通水口６３０ａ、６３０ｂの間の空気の流れを可能にしつつ、第２部分６３２に水を溜めることができる。流路本体６３０では、通水口６３０ａと通水口６３０ｂとの間の経路の水が抜けた時にも、第２部分６３２に水を溜めることができる。このように、一対の通水口の少なくとも一方は、第２部分６３２より下方に位置していてもよい。一対の通水口の少なくとも一方は、紫外線照射窓６０１の表面６０１ａより下方に位置していてもよい。
【０１０９】
図８（ａ）及び図８（ｂ）は、第１の実施形態にかかる紫外線照射部の変形例を模式的に表す断面図である。  
図８（ａ）に表したように、紫外線照射部４６４では、流路６００の流路本体６４０が、水平方向に延びる。流路本体６４０の一端には、通水口６４０ａが設けられる。流路本体６４０の他端には、通水口６４０ｂが設けられる。各通水口６４０ａ、６４０ｂは、上方を向く。すなわち、この例において、流路本体６４０は、断面略Ｕ字状の管路である。
【０１１０】
また、流路本体６４０の一端には、開口６４０ｃが設けられている。紫外線照射窓６０１は、開口６４０ｃを塞ぐ。発光素子６０２は、紫外線照射窓６０１と対向して配置される。
【０１１１】
流路本体６４０では、通水口６４０ａ又は通水口６４０ｂから水の供給が無い状態においても、各通水口６４０ａ、６４０ｂの間の空気の流れを可能にしつつ、流路本体６４０内に水を溜めることができる。すなわち、この例では、流路本体６４０自体が、貯水部ＷＳＵとして機能する。
【０１１２】
また、このような流路本体６４０では、図８（ｂ）に表したように、直管状の流路本体６４０の延びる方向を水平方向に対して傾けてもよい。この場合、少なくとも下側に配置される通水口６４０ａを上向きに形成する。これにより、通水口６４０ａ又は通水口６４０ｂから水の供給が無い状態においても、各通水口６４０ａ、６４０ｂの間の空気の流れを可能にしつつ、通水口６４０ａよりも下側の部分に水を溜めることができる。
【０１１３】
このように、流路６００の形状は、通水口から水の供給が無い状態においても、各通水口の間の空気の流れを可能にしつつ、紫外線照射窓６０１の表面６０１ａと接するように水を溜めることができる任意の形状でよい。
【０１１４】
図９（ａ）及び図９（ｂ）は、本実施形態にかかる紫外線照射部の変形例を模式的に表す断面図である。  
図９（ａ）に表したように、紫外線照射部４６５は、流路６００と、冷陰極管６５０（発光部）と、を有する。流路６００は、水平方向に延びるの流路本体６５２と、流路本体６５２の両端に設けられた一対の通水口６５２ａ、６５２ｂと、を有する。各通水口６５２ａ、６５２ｂは、上方を向く。従って、上記と同様に、紫外線照射部４６５では、流路本体６５２を貯水部ＷＳＵとすることができる。
【０１１５】
冷陰極管（CCFL：Cold Cathode Fluorescent Lamp）６５０は、流路本体６５２を流れる水に紫外線を照射する。冷陰極管６５０は、一方向に延び、冷陰極管６５０が延びる一方向を長手方向としている。冷陰極管６５０は、例えば、円柱状の直管である。冷陰極管６５０は、流路本体６５２内に挿通されている。流路本体６５２は、冷陰極管６５０の長手方向に沿う形で形成されている、すなわち、流路本体６５２は、冷陰極管６５０の長手方向に沿って水を流す。流路本体６５２の形状は、これに限ることなく、冷陰極管６５０の長手方向に沿う任意の形状でよい。
【０１１６】
冷陰極管６５０は、ガスなどを封止するガラス管６５０ａを有する。冷陰極管６５０は、ガラス管６５０ａを介して流路本体６５２を流れる水に紫外線を照射する。このように、冷陰極管６５０を流路本体６５２内に挿通する場合には、冷陰極管６５０自体のガラス管６５０ａを紫外線照射窓として用いてもよい。
【０１１７】
流路本体６５２には、例えば、金属材料などの冷陰極管６５０から照射される紫外線に対して反射性の材料を用いることが好ましい。流路本体６５２は、例えば、上記実施形態に関して説明した本体部６１６及び反射部６１７のように、反射性の部分と、樹脂材料などを用いた反射性の低い部分と、を有してもよい。例えば、樹脂材料を用いた基材に、メッキ処理などの表面処理を施すことによって、紫外線に対する反射性を持たせてもよい。
【０１１８】
図９（ｂ）に表したように、紫外線照射部４６６は、流路６００と、冷陰極管６５０と、紫外線照射窓６０１と、を有する。冷陰極管６５０は、上記と同様に、直管状である。流路６００は、長手方向に延びる流路本体６５４と、一対の通水口６５４ａ、６５４ｂと、を有る断面略Ｕ字状の管路である。また、流路本体６５４には、長手方向に沿う開口６５４ｃが設けられている。
【０１１９】
紫外線照射窓６０１は、流路本体６５４の開口６５４ｃを塞ぐ。紫外線照射窓６０１は、冷陰極管６５０から照射される紫外線に対して透過性である。冷陰極管６５０は、紫外線照射窓６０１を挟んで流路本体６５４と対向する。これにより、冷陰極管６５０は、紫外線照射窓６０１を介して流路本体６５４を流れる水に紫外線を照射する。
【０１２０】
このように、冷陰極管６５０は、流路本体６５４の外側に設けてもよい。この場合、紫外線照射窓６０１で流路本体６５４の開口６５４ｃを塞ぎ、紫外線照射窓６０１を介して紫外線を流路本体６５４内に入射させる。例えば、冷陰極管６５０のガラス管６５０ａで開口６５４ｃを塞ぎ、ガラス管６５０ａを紫外線照射窓として紫外線を流路本体６５４内に入射させてもよい。例えば、流路本体６５４自体を石英ガラスなどの紫外線に対して透過性の材料で形成することにより、流路本体６５４の一部を照射窓として用いてもよい。
【０１２１】
紫外線照射部４６６は、反射材６５５をさらに有する。反射材６５５は、冷陰極管６５０を挟んで紫外線照射窓６０１と対向する。反射材６５５は、冷陰極管６５０から照射される紫外線に対して反射性である。反射材６５５は、冷陰極管６５０から流路本体６５４と反対側に向かって照射される紫外線を反射させ、流路本体６５４側に向かわせる。これにより、冷陰極管６５０から照射される紫外線の利用効率を高めることができる。反射材６５５は、必要に応じて設けられ、省略可能である。
【０１２２】
このように、流路本体に流れる水に紫外線を照射する発光部は、発光素子に限ることなく、例えば、冷陰極管などの水銀灯でもよい。水銀灯とは、例えば、高圧水銀灯や低圧水銀灯などである。高圧水銀灯とは、例えば、メタルハライドランプなどである。低圧水銀灯とは、例えば、冷陰極管や熱陰極管などである。発光部に水銀灯を用いる場合、水銀灯は、流路内に挿通してもよいし、紫外線照射窓を介して流路内に紫外線を照射してもよい。また、長手方向に延びた水銀灯を用いる場合、流路は、長手方向に沿う形に形成する。これにより、例えば、流路を流れる水に紫外線が当たる時間を長くすることができる。例えば、水銀灯から照射された紫外線を流路を流れる水に効率よく入射させることができる。これにより、水銀灯を発光部に用いた場合において、より確実に菌を減らすことができる。
【０１２３】
また、水銀灯を流路本体内に挿通する場合には、水銀灯を貯水部ＷＳＵに配置する。これにより、ガラス管６５０ａの表面の乾燥を抑制することができる。ガラス管６５０ａの表面が乾燥して水垢が発生してしまうことを抑制することができる。これにより、水垢の発生にともなうガラス管６５０ａの紫外線の透過率の低下を抑制することができる。菌を減らす効果の経年的な劣化を抑制することができる。
【０１２４】
図１０は、第１の実施形態にかかる紫外線照射部の変形例を模式的に表す断面図である。  
図１０に表したように、紫外線照射部４６７では、流路６００の流路本体６６０が、上下方向（垂直方向）に延びる。流路本体６６０の一端には、通水口６６０ａが設けられる。流路本体６６０の他端には、通水口６６０ｂが設けられる。各通水口６６０ａ、６６０ｂは、側方を向く。各通水口６６０ａ、６６０ｂは、流路本体６６０の延びる方向に対して略直交する方向を向く。流路本体６６０は、断面略Ｕ字状の管路である。
【０１２５】
また、流路本体６６０の上端には、開口６６０ｃが設けられている。開口６６０ｃは、一方の通水口６６０ａよりも上に位置する。紫外線照射窓６０１は、開口６６０ｃを塞ぐ。発光素子６０２は、紫外線照射窓６０１と対向して配置される。
【０１２６】
これにより、紫外線照射部４６７では、流路本体６６０を流れる水の液面よりも上に紫外線照射窓６０１を配置する。紫外線照射部４６７では、流路本体６６０を流れる水と紫外線照射窓６０１との間に、空気層ＡＲＵを形成する。
【０１２７】
これにより、紫外線照射部４６７では、紫外線照射窓６０１の表面６０１ａに水が付着することを抑制することができる。従って、水垢の発生にともなう紫外線照射窓６０１の紫外線の透過率の低下を抑制することができる。菌を減らす効果の経年的な劣化を抑制することができる。
【０１２８】
このように、紫外線照射窓６０１に対する水の付着を抑制することによって、水垢の発生を抑制してもよい。この場合、流路６００の形状は、上記に限ることなく、流路本体６６０を流れる水の液面よりも上に紫外線照射窓６０１を配置し、紫外線照射窓６０１に水が付着することを抑制できる任意の形状でよい。
【０１２９】
上記実施形態では、衛生洗浄装置１００と便器８００とが一体になった一体型のトイレ装置を例示している。衛生洗浄装置は、例えば、便器に対して着脱自在に取り付けられる、いわゆるシート型の便座装置でもよい。
【０１３０】
図１１（ａ）及び図１１（ｂ）は、本発明の第２の実施の形態にかかる水栓装置を表す斜視模式図及び側断面図である。  
図１１（ａ）及び図１１（ｂ）に表したように、水栓装置１２０（吐水装置）は、スパウト９００（吐水部）と、導水部９０１と、電磁弁９０２と、紫外線照射部９０４と、制御部９０６と、を備える。
【０１３１】
スパウト９００は、水を吐出する吐水口９００ａを有する。導水部９０１は、水道管などの給水源に接続される。導水部９０１は、給水源からスパウト９００に至る管路９０１ａを有し、給水源から供給された水をスパウト９００に導く。電磁弁９０２は、管路９０１ａを開閉する。
【０１３２】
紫外線照射部９０４は、導水部９０１の経路上において、吐水口９００ａよりも上流側に設けられる。紫外線照射部９０４は、例えば、スパウト９００の内部に設けられる。
【０１３３】
紫外線照射部９０４の位置は、これに限ることなく、吐水口９００ａよりも上流側の任意の位置でよい。紫外線照射部９０４は、管路９０１ａ内を流れる水に紫外線を照射し、水に含まれる菌を減らす。紫外線照射部９０４には、例えば、上記第１の実施形態で説明した紫外線照射部４６０〜４６７のいずれかと実質的に同じものが用いられる。制御部９０６は、電磁弁９０２及び紫外線照射部９０４の動作を制御する。
【０１３４】
電磁弁９０２及び制御部９０６は、収納ボックス９０８内に設けられている。電磁弁９０２及び制御部９０６は、例えば、スパウト９００内に設けてもよい。紫外線照射部９０４は、電磁弁９０２よりも上流側に配置してもよい。
【０１３５】
水栓装置１２０は、受水部９１０と、検知部９１２と、をさらに備える。受水部９１０は、スパウト９００から吐出された水を受ける。受水部９１０は、例えば、下方に凹む凹状のボウル部を有する。受水部９１０は、例えば、ボウル部の底に設けられた排水口を介して排水管に接続され、スパウト９００から吐出された水を受けて排水管に流す。受水部９１０は、例えば、陶器製の洗面器である。
【０１３６】
検知部９１２は、マイクロ波あるいはミリ波などの高周波の電波を放射（送信）し、放射した電波の被検知体からの反射波を受信して、被検知体の有無や状態を検知する。検知部９１２は、例えば、人体の手などを被検知体として検知する。検知部９１２は、制御部９０６に接続されている。検知部９１２は、被検知体の検知結果を制御部９０６に入力する。検知部９１２は、例えば、高周波センサである。
【０１３７】
制御部９０６は、検知部９１２の被検知体の検知に応じて電磁弁９０２を開き、スパウト９００から水を吐出させるとともに、紫外線照射部９０４を動作させ、紫外線照射部９０４に紫外線を照射させる。これにより、菌を減らした安全な水を使用者に供給することができる。
【０１３８】
制御部９０６は、検知部９１２の被検知体の検知の解除に応じて電磁弁９０２を閉じ、水の吐出を停止させるとともに、紫外線照射部９０４の動作を停止させる。この際、紫外線照射部９０４では、通水口６１０ａ又は通水口６１０ｂからの水の供給が無い状態においても、紫外線照射窓６０１の表面６０１ａと接するように流路本体６１０の貯水部ＷＳＵに水が溜まる。紫外線照射部９０４では、流路６００の第１部分６１１の水が抜けた時にも、各通水口６１０ａ、６１０ｂの間の空気の流れを可能にしつつ、第２部分６１２に水が溜まる。これにより、紫外線照射窓６０１の表面６０１ａの乾燥を抑制することができる。または、流路本体を流れる水の液面よりも上に紫外線照射窓６０１を配置し、紫外線照射窓６０１に対する水の付着を抑制する。これにより、水栓装置１２０においても、紫外線照射窓６０１の表面６０１ａにおける水垢の発生を抑制し、これにともなう紫外線照射窓６０１の紫外線の透過率の低下を抑制することができる。
【０１３９】
この例において、制御部９０６は、検知部９１２による被検知体の検知を吐水開始の指示とし、検知部９１２による被検知体の検知の解除を吐水停止の指示として、電磁弁９０２及び紫外線照射部９０４の動作を制御する。例えば、吐水の開始及び停止を指示するための操作部を水栓装置１２０に設け、操作部の操作に応じて電磁弁９０２及び紫外線照射部９０４の動作を制御してもよい。
【０１４０】
このように、吐水装置は、衛生洗浄装置１００でもよいし、水栓装置１２０でもよい。吐水装置は、これらに限ることなく、安全な水の供給を必要とする他のいかなる装置でもよい。
【０１４１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１４２】
１０ 給水源、  ２０ 導水部、  ２１ おしり洗浄流路、  ２２ やわらか洗浄流路、  ２３ ビデ洗浄流路、  ２４ 表面洗浄流路、  ２５ 噴霧用流路、  １００ 衛生洗浄装置、  １２０ 水栓装置、  ２００ 便座、  ３００ 便蓋、  ３１０ 透過窓、  ４００ ケーシング、  ４０１ 電源回路、  ４０３ 人体検知センサ、  ４０４ 着座検知センサ、  ４０５ 制御部、  ４０７ 排気口、  ４０８ 排出口、  ４０９ 凹設部、  ４３１ 電磁弁、  ４３２ 調圧弁、  ４３３ 逆止弁、  ４４０ 熱交換器ユニット、  ４４２ 流量センサ、  ４５０ 電解槽ユニット、  ４５２ バキュームブレーカ、  ４５４ 圧力変調装置、  ４６０〜４６７、 紫外線照射部、  ４７１ 流量調整部、  ４７２ 流路切替部、  ４７３ ノズル、  ４７４ａ ビデ洗浄吐水口、  ４７４ｂ 洗浄吐水口、  ４７６ ノズルモータ、  ４７８ ノズル洗浄室、  ４７９ 噴霧ノズル、  ５００ 操作部、  ６００ 流路、  ６０１ 紫外線照射窓、  ６０１ａ 表面、  ６０２ 発光素子、  ６０４ パッキン、  ６０５ 蓋部、  ６０６ 基板、  ６１０、６２０、６３０、６４０、６５２、６５４、６６０ 流路本体、  ６１０ａ、６１０ｂ、６１０ｃ、６２０ａ、６２０ｂ、６３０ａ、６３０ｂ、６４０ａ、６４０ｂ、６５２ａ、６５２ｂ、６５４ａ、６５４ｂ、６６０ａ、６６０ｂ 通水口、  ６１１、６２１、６３１ 第１部分、  ６１２、６２２、６３２ 第２部分、  ６１３、６３３ 第３部分、  ６１５、６２５、６３５ 開口、  ６１６ 本体部、  ６１７ 反射部、  ６５０ 冷陰極管、  ６５０ａ ガラス管、  ６５４ｃ 開口、  ６５５ 反射材、  ８００ 便器、  ８０１ ボウル、  ９００ スパウト、  ９０１ 導水部、  ９０２ 電磁弁、  ９０４ 紫外線照射部、  ９０６ 制御部、  ９０８ 収納ボックス、  ９１０ 受水部、  ９１２ 検知部、  ＷＳＵ 貯水部
【図１】
0006399355.tif 000002
【図２】
0006399355.tif 000003
【図３】
0006399355.tif 000004
【図４】
0006399355.tif 000005
【図５】
0006399355.tif 000006
【図６】
0006399355.tif 000007
【図７】
0006399355.tif 000008
【図８】
0006399355.tif 000009
【図９】
0006399355.tif 000010
【図１０】
0006399355.tif 000011
【図１１】
0006399355.tif 000012